(57)【要約】      （修正有）【課題】ＩＰＴＶ受信装置で視聴する番組内容と連動した情報をインターネット上のＷｅｂサイトから収集して表示するＴＶ番組関連情報表示システムを提供する。【解決手段】番組をＩＰ通信網６を介してマルチキャストで配信するＩＰＴＶ配信装置１と、番組を家庭内に設置されるＨＧＷ装置４を介して受信し、表示するＩＰＴＶ受信装置５と、マルチキャスト通信の開始・変更・終了情報と、ＨＧＷ識別子と、ＩＰＴＶ受信装置５のＩＰアドレスと、マルチキャストアドレスとを組み合わせた番組検出メッセージを生成するチャンネル情報取得部４１と、番組検出メッセージよりＩＰＴＶ受信装置５が視聴しているチャンネル番号を特定し、視聴している番組に関連する情報をインターネット上のＷｅｂサイトから収集し、番組内容に応じた表示メッセージを生成する端末間イベント同期装置２と、端末間イベント同期装置２から受信し、表示するメッセージ表示装置３とを備える。【選択図】図２
2011259383.tif 000002
【特許請求の範囲】
【請求項１】
ＩＰＴＶ受信装置で視聴する番組内容と連動した情報をインターネット上のＷｅｂサイトから収集して表示するＴＶ番組関連情報表示システムであって、
所定の放送局から取得した番組内容をＩＰＴＶの規格に従ってＩＰ通信網を介してマルチキャストで配信するＩＰＴＶ配信装置と、
前記ＩＰＴＶ配信装置が配信するマルチキャストの番組内容を、家庭環境内に設置されるＨＧＷ装置を介して受信し、表示するＩＰＴＶ受信装置と、
前記ＩＰＴＶ受信装置におけるマルチキャスト通信の開始・変更・終了を監視して検出し、当該検出した情報を、当該マルチキャスト通信の状態変化を示す情報として生成し、前記ＨＧＷ装置を一意に識別するＨＧＷ識別子と、前記ＩＰＴＶ受信装置のＩＰアドレスと、当該開始・変更・終了を監視して得られるマルチキャストアドレスとを組み合わせ、番組検出メッセージとして生成するチャンネル情報取得手段と、
前記ＩＰＴＶ配信装置から配信される所定の番組配列情報から、放送地域、放送チャンネル、番組の開始及び終了の日時情報、番組名及び番組内容を表す番組情報テーブルを生成して管理するとともに、前記番組検出メッセージを取得して、前記ＨＧＷ識別子から特定される前記ＨＧＷ装置の設置地域の情報を地域情報として決定し、該地域情報と前記マルチキャストアドレスをもとに、予めチャンネル番号と関連付けて保持するチャンネル情報テーブルから、前記ＩＰＴＶ受信装置が視聴しているチャンネル番号を特定し、前記ＨＧＷ識別子、前記チャンネル番号、及び現在日時の情報を基に、前記ＩＰＴＶ受信装置が視聴しているチャンネル番号の番組に関連する情報をインターネット上のＷｅｂサイトから収集し、番組内容に応じた表示メッセージを生成する端末間イベント同期装置と、
前記端末間イベント同期装置から、前記家庭環境内に設置される前記ＨＧＷ識別子のＨＧＷ装置を介して受信し、表示するメッセージ表示装置と、
を備えることを特徴とするＴＶ番組関連情報表示システム。
【請求項２】
前記端末間イベント同期装置は、
前記チャンネル情報取得手段から、新たなマルチキャストの視聴を検出したか否かを問い合わせ、新たなマルチキャストの視聴の検出を表す当該番組検出メッセージを取得して前記チャンネル情報テーブルにおけるＨＧＷ識別子及びチャンネル番号を更新し、該チャンネル番号の番組に関連する情報をインターネット上のＷｅｂサイトから収集する手段を有することを特徴とする、請求項１に記載のＴＶ番組関連情報表示システム。
【請求項３】
前記端末間イベント同期装置は、
所定の経過時間で前記番組検出メッセージを取得して、表示メッセージを生成する手段を有することを特徴とする、請求項１又は２に記載のＴＶ番組関連情報表示システム。
【請求項４】
前記収集するインターネット上のＷｅｂサイトが予め定めたリアルタイムで書き込みを行う掲示板サービスであり、
前記端末間イベント同期装置は、前記掲示板サービスのＷｅｂサイトから番組内容に応じた表示メッセージを生成する手段を有することを特徴とする、請求項１〜３のいずれか一項に記載のＴＶ番組関連情報表示システム。
【請求項５】
前記収集するインターネット上のＷｅｂサイトが予め定めたＳＮＳサービスであり、
前記端末間イベント同期装置は、
前記ＳＮＳサービスのユーザＩＤ、及び、該ＳＮＳサービスの公開範囲内のＨＧＷ識別子と、該ユーザＩＤに対応するＨＧＷ識別子とを関連付けたテーブルを記憶保持しており、
前記番組検出メッセージに含まれるＨＧＷ識別子をもとに、前記ユーザＩＤを抽出し、該ユーザＩＤのＳＮＳサービスの公開範囲内のＨＧＷ識別子を特定し、前記番組検出メッセージに含まれるＨＧＷ識別子及び前記公開範囲内のＨＧＷ識別子の各ＨＧＷ装置を介して該ＨＧＷ装置にそれぞれ接続されるメッセージ表示装置に対する、番組内容に応じた表示メッセージを生成する手段を有することを特徴とする、請求項１〜４のいずれか一項に記載のＴＶ番組関連情報表示システム。
【請求項６】
所定の放送局から取得した番組内容をＩＰＴＶの規格に従ってＩＰ通信網を介してマルチキャストで配信するＩＰＴＶ配信装置と、前記ＩＰＴＶ配信装置が配信するマルチキャストの番組内容を、家庭環境内に設置されるＨＧＷ装置を介して受信し、表示するＩＰＴＶ受信装置と、前記ＩＰＴＶ受信装置におけるマルチキャスト通信の開始・変更・終了を監視して検出し、当該検出した情報を、当該マルチキャスト通信の状態変化を示す情報として生成し、前記ＨＧＷ装置を一意に識別するＨＧＷ識別子と、前記ＩＰＴＶ受信装置のＩＰアドレスと、当該開始・変更・終了を監視して得られるマルチキャストアドレスとを組み合わせ、番組検出メッセージとして生成するチャンネル情報取得手段と、前記家庭環境内に設置される前記ＨＧＷ識別子のＨＧＷ装置を介して受信し、表示するメッセージ表示装置とを備えるＴＶ番組関連情報表示システムにて、前記ＩＰＴＶ受信装置で視聴する番組内容と連動した情報をインターネット上のＷｅｂサイトから収集して表示する端末間イベント同期装置であって、
前記ＩＰＴＶ配信装置から配信される所定の番組配列情報から、放送地域、放送チャンネル、番組の開始及び終了の日時情報、番組名及び番組内容を表す番組情報テーブルを生成して管理するＩＤ管理部と、
前記番組検出メッセージを取得して、前記ＨＧＷ識別子から特定される前記ＨＧＷ装置の設置地域の情報を地域情報として決定し、該地域情報と前記マルチキャストアドレスをもとに、予めチャンネル番号と関連付けて保持するチャンネル情報テーブルから、前記ＩＰＴＶ受信装置が視聴しているチャンネル番号を特定するイベント発見部と、
前記ＨＧＷ識別子、前記チャンネル番号、及び現在日時の情報を基に、前記ＩＰＴＶ受信装置が視聴しているチャンネル番号の番組に関連する情報をインターネット上のＷｅｂサイトから収集し、番組内容に応じた表示メッセージを生成するシナリオ制御手段と、
生成した表示メッセージを前記ＨＧＷ識別子のＨＧＷ装置に接続されるメッセージ装置に送信する端末管理部と、
を備えることを特徴とする端末間イベント同期装置。
【請求項７】
前記収集するインターネット上のＷｅｂサイトが予め定めたリアルタイムで書き込みを行う掲示板サービスであり、
前記端末間イベント同期装置は、前記掲示板サービスのＷｅｂサイトから番組内容に応じた表示メッセージを生成する手段を有することを特徴とする、請求項６に記載の端末間イベント同期装置。
【請求項８】
前記収集するインターネット上のＷｅｂサイトが予め定めたＳＮＳサービスであり、
前記端末間イベント同期装置は、
前記ＳＮＳサービスのユーザＩＤ、及び、該ＳＮＳサービスの公開範囲内のＨＧＷ識別子と、該ユーザＩＤに対応するＨＧＷ識別子とを関連付けたテーブルを記憶保持しており、
前記番組検出メッセージに含まれるＨＧＷ識別子をもとに、前記ユーザＩＤを抽出し、該ユーザＩＤのＳＮＳサービスの公開範囲内のＨＧＷ識別子を特定し、前記番組検出メッセージに含まれるＨＧＷ識別子及び前記公開範囲内のＨＧＷ識別子の各ＨＧＷ装置を介して該ＨＧＷ装置にそれぞれ接続されるメッセージ表示装置に対する、番組内容に応じた表示メッセージを生成する手段を有することを特徴とする、請求項６又は７に記載の端末間イベント同期装置。
【請求項９】
所定の放送局から取得した番組内容をＩＰＴＶの規格に従ってＩＰ通信網を介してマルチキャストで配信するＩＰＴＶ配信装置と、前記ＩＰＴＶ配信装置が配信するマルチキャストの番組内容を、家庭環境内に設置されるＨＧＷ装置を介して受信し、表示するＩＰＴＶ受信装置と、前記ＩＰＴＶ受信装置におけるマルチキャスト通信の開始・変更・終了を監視して検出し、当該検出した情報を、当該マルチキャスト通信の状態変化を示す情報として生成し、前記ＨＧＷ装置を一意に識別するＨＧＷ識別子と、前記ＩＰＴＶ受信装置のＩＰアドレスと、当該開始・変更・終了を監視して得られるマルチキャストアドレスとを組み合わせ、番組検出メッセージとして生成するチャンネル情報取得手段と、前記家庭環境内に設置される前記ＨＧＷ識別子のＨＧＷ装置を介して受信し、表示するメッセージ表示装置とを備えるＴＶ番組関連情報表示システムにて、前記ＩＰＴＶ受信装置で視聴する番組内容と連動した情報をインターネット上のＷｅｂサイトから収集して表示する端末間イベント同期装置の端末間イベント同期方法であって、
端末間イベント同期装置の処理手順は、
前記ＩＰＴＶ配信装置から配信される所定の番組配列情報から、放送地域、放送チャンネル、番組の開始及び終了の日時情報、番組名及び番組内容を表す番組情報テーブルを生成して管理するステップと、
前記番組検出メッセージを取得して、前記ＨＧＷ識別子から特定される前記ＨＧＷ装置の設置地域の情報を地域情報として決定し、該地域情報と前記マルチキャストアドレスをもとに、予めチャンネル番号と関連付けて保持するチャンネル情報テーブルから、前記ＩＰＴＶ受信装置が視聴しているチャンネル番号を特定するステップと、
前記ＨＧＷ識別子、前記チャンネル番号、及び現在日時の情報を基に、前記ＩＰＴＶ受信装置が視聴しているチャンネル番号の番組に関連する情報をインターネット上のＷｅｂサイトから収集し、番組内容に応じた表示メッセージを生成するステップと、
生成した表示メッセージを前記ＨＧＷ識別子のＨＧＷ装置に接続されるメッセージ装置に送信するステップと、
を含むことを特徴とする端末間イベント同期方法。
【請求項１０】
所定の放送局から取得した番組内容をＩＰＴＶの規格に従ってＩＰ通信網を介してマルチキャストで配信するＩＰＴＶ配信装置と、前記ＩＰＴＶ配信装置が配信するマルチキャストの番組内容を、家庭環境内に設置されるＨＧＷ装置を介して受信し、表示するＩＰＴＶ受信装置と、前記ＩＰＴＶ受信装置におけるマルチキャスト通信の開始・変更・終了を監視して検出し、当該検出した情報を、当該マルチキャスト通信の状態変化を示す情報として生成し、前記ＨＧＷ装置を一意に識別するＨＧＷ識別子と、前記ＩＰＴＶ受信装置のＩＰアドレスと、当該開始・変更・終了を監視して得られるマルチキャストアドレスとを組み合わせ、番組検出メッセージとして生成するチャンネル情報取得手段と、前記家庭環境内に設置される前記ＨＧＷ識別子のＨＧＷ装置を介して受信し、表示するメッセージ表示装置とを備えるＴＶ番組関連情報表示システムにて、前記ＩＰＴＶ受信装置で視聴する番組内容と連動した情報をインターネット上のＷｅｂサイトから収集して表示する端末間イベント同期装置として構成するコンピュータに、
前記ＩＰＴＶ配信装置から配信される所定の番組配列情報から、放送地域、放送チャンネル、番組の開始及び終了の日時情報、番組名及び番組内容を表す番組情報テーブルを生成して管理するステップと、
前記番組検出メッセージを取得して、前記ＨＧＷ識別子から特定される前記ＨＧＷ装置の設置地域の情報を地域情報として決定し、該地域情報と前記マルチキャストアドレスをもとに、予めチャンネル番号と関連付けて保持するチャンネル情報テーブルから、前記ＩＰＴＶ受信装置が視聴しているチャンネル番号を特定するステップと、
前記ＨＧＷ識別子、前記チャンネル番号、及び現在日時の情報を基に、前記ＩＰＴＶ受信装置が視聴しているチャンネル番号の番組に関連する情報をインターネット上のＷｅｂサイトから収集し、番組内容に応じた表示メッセージを生成するステップと、
生成した表示メッセージを前記ＨＧＷ識別子のＨＧＷ装置に接続されるメッセージ装置に送信するステップと、
を実行させるためのプログラム。
【発明の詳細な説明】
【技術分野】
【０００１】
本発明は、ＩＰＴＶ（Internet Protocol Television）で配信されるテレビ番組に関連する情報をインターネット上から収集し、テレビ番組を表示するテレビ受信機とは別の端末にそれらの情報を表示するためのＴＶ番組関連情報表示システム、端末間イベント同期装置、端末間イベント同期方法、及びプログラムに関するものである。
【背景技術】
【０００２】
従来、テレビ番組に関連する情報を視聴者がテレビ番組を視聴しながら入手する方法としては、放送局が作成し、デジタル放送のデータ放送方式でテレビ番組と一緒に送信されたコンテンツを、データ放送対応テレビ受信機を用いて、テレビ番組と同時に視聴するもの（第１の方式）と、放送局や第三者のサービス事業者がインターネット上のＷＷＷサイトにテレビ番組に関する情報を登録し、視聴者がパーソナルコンピュータや携帯電話等を通じて、それらを閲覧するもの（第２の方式）があった（例えば、非特許文献１，２，３参照）。
【先行技術文献】
【非特許文献】
【０００３】
【非特許文献１】“データ放送”、日本放送協会、［online]、［２０１０年５月１３日検索］、インターネット〈http://www.nhk.or.jp/data/svc/index.html〉
【非特許文献２】“gooテレビ番組”、エヌ・ティ・ティ・レゾナント株式会社、［online]、［２０１０年５月１３日検索］、インターネット 〈http://tv.goo.ne.jp/index.html〉
【非特許文献３】“テレビ紹介情報”、価格．ｃｏｍ、［online]、［２０１０年５月１３日検索］、インターネット〈http://kakaku.com/tv/〉
【発明の概要】
【発明が解決しようとする課題】
【０００４】
前述した第１の方式のデータ放送では、テレビ番組と連動した情報を容易に提供可能で、視聴者もテレビ受信機と同じリモートコントローラで、データ放送の情報を閲覧可能だが、データ放送視聴時は、番組の表示エリアが狭くなる、データ放送の情報は放送局のみが配信可能で、放送局以外の事業者が作成した情報を、放送局を通さずに配信できない等の課題があった。
【０００５】
一方、第２の方式では、インターネット上の情報をテレビ受信機とは別の端末で閲覧することから、番組の表示領域は影響を受けず、また、放送局以外の提供する情報も取得可能であるが、視聴者がテレビ放送に合わせてパーソナルコンピュータ（ＰＣ）や携帯電話を操作する手間がかかるという課題があった。
【０００６】
そこで、本発明の目的は、ＩＰＴＶ（Internet Protocol Television）で配信されるテレビ番組に関連する情報をインターネット上から収集し、テレビ番組を表示するテレビ受信機とは別の端末にそれらの情報を表示するためのＴＶ番組関連情報表示システム、端末間イベント同期装置、端末間イベント同期方法、及びプログラムを提供することにある。
【課題を解決するための手段】
【０００７】
本発明では、ＨＧＷ（Home Gateway）識別子をキーとして、各ＩＰＴＶ受信装置の視聴チャンネル情報をもとにインターネット上から関連情報を収集し、同じユーザが保持する別の表示装置に提供する手段により、放送局以外が提供するＴＶ番組内容に関連するコンテンツを、ユーザが番組を視聴しながら閲覧することを可能とした。また、ＨＧＷ装置にマルチキャスト通信を監視する機能を配置することで、ＩＰＴＶの送受信装置の更改を不要とし、ユーザやＩＰＴＶ事業者の追加投資を不要とすることで、本方式を採用するサービス導入を阻害する要因を取り除くことを可能とした。
【０００８】
即ち、本発明のＴＶ番組関連情報表示システムは、ＩＰＴＶ受信装置で視聴する番組内容と連動した情報をインターネット上のＷｅｂサイトから収集して表示するＴＶ番組関連情報表示システムであって、所定の放送局から取得した番組内容をＩＰＴＶの規格に従ってＩＰ通信網を介してマルチキャストで配信するＩＰＴＶ配信装置と、前記ＩＰＴＶ配信装置が配信するマルチキャストの番組内容を、家庭環境内に設置されるＨＧＷ装置を介して受信し、表示するＩＰＴＶ受信装置と、前記ＩＰＴＶ受信装置におけるマルチキャスト通信の開始・変更・終了を監視して検出し、当該検出した情報を、当該マルチキャスト通信の状態変化を示す情報として生成し、前記ＨＧＷ装置を一意に識別するＨＧＷ識別子と、前記ＩＰＴＶ受信装置のＩＰアドレスと、当該開始・変更・終了を監視して得られるマルチキャストアドレスとを組み合わせ、番組検出メッセージとして生成するチャンネル情報取得手段と、前記ＩＰＴＶ配信装置から配信される所定の番組配列情報から、放送地域、放送チャンネル、番組の開始及び終了の日時情報、番組名及び番組内容を表す番組情報テーブルを生成して管理するとともに、前記番組検出メッセージを取得して、前記ＨＧＷ識別子から特定される前記ＨＧＷ装置の設置地域の情報を地域情報として決定し、該地域情報と前記マルチキャストアドレスをもとに、予めチャンネル番号と関連付けて保持するチャンネル情報テーブルから、前記ＩＰＴＶ受信装置が視聴しているチャンネル番号を特定し、前記ＨＧＷ識別子、前記チャンネル番号、及び現在日時の情報を基に、前記ＩＰＴＶ受信装置が視聴しているチャンネル番号の番組に関連する情報をインターネット上のＷｅｂサイトから収集し、番組内容に応じた表示メッセージを生成する端末間イベント同期装置と、前記端末間イベント同期装置から、前記家庭環境内に設置される前記ＨＧＷ識別子のＨＧＷ装置を介して受信し、表示するメッセージ表示装置と、を備えることを特徴とする。
【０００９】
また、本発明のＴＶ番組関連情報表示システムにおいて、前記端末間イベント同期装置は、前記チャンネル情報取得手段から、新たなマルチキャストの視聴を検出したか否かを問い合わせ、新たなマルチキャストの視聴の検出を表す当該番組検出メッセージを取得して前記チャンネル情報テーブルにおけるＨＧＷ識別子及びチャンネル番号を更新し、該チャンネル番号の番組に関連する情報をインターネット上のＷｅｂサイトから収集する手段を有することを特徴とする。
【００１０】
また、本発明のＴＶ番組関連情報表示システムにおいて、前記端末間イベント同期装置は、所定の経過時間で前記番組検出メッセージを取得して、表示メッセージを生成する手段を有することを特徴とする。
【００１１】
また、本発明のＴＶ番組関連情報表示システムにおいて、前記収集するインターネット上のＷｅｂサイトが予め定めたリアルタイムで書き込みを行う掲示板サービスであり、前記端末間イベント同期装置は、前記掲示板サービスのＷｅｂサイトから番組内容に応じた表示メッセージを生成する手段を有することを特徴とする。
【００１２】
また、本発明のＴＶ番組関連情報表示システムにおいて、前記収集するインターネット上のＷｅｂサイトが予め定めたＳＮＳサービスであり、前記端末間イベント同期装置は、前記ＳＮＳサービスのユーザＩＤ、及び、該ＳＮＳサービスの公開範囲内のＨＧＷ識別子と、該ユーザＩＤに対応するＨＧＷ識別子とを関連付けたテーブルを記憶保持しており、前記番組検出メッセージに含まれるＨＧＷ識別子をもとに、前記ユーザＩＤを抽出し、該ユーザＩＤのＳＮＳサービスの公開範囲内のＨＧＷ識別子を特定し、前記番組検出メッセージに含まれるＨＧＷ識別子及び前記公開範囲内のＨＧＷ識別子の各ＨＧＷ装置を介して該ＨＧＷ装置にそれぞれ接続されるメッセージ表示装置に対する、番組内容に応じた表示メッセージを生成する手段を有することを特徴とする。
【００１３】
さらに、本発明の端末間イベント同期装置は、所定の放送局から取得した番組内容をＩＰＴＶの規格に従ってＩＰ通信網を介してマルチキャストで配信するＩＰＴＶ配信装置と、前記ＩＰＴＶ配信装置が配信するマルチキャストの番組内容を、家庭環境内に設置されるＨＧＷ装置を介して受信し、表示するＩＰＴＶ受信装置と、前記ＩＰＴＶ受信装置におけるマルチキャスト通信の開始・変更・終了を監視して検出し、当該検出した情報を、当該マルチキャスト通信の状態変化を示す情報として生成し、前記ＨＧＷ装置を一意に識別するＨＧＷ識別子と、前記ＩＰＴＶ受信装置のＩＰアドレスと、当該開始・変更・終了を監視して得られるマルチキャストアドレスとを組み合わせ、番組検出メッセージとして生成するチャンネル情報取得手段と、前記家庭環境内に設置される前記ＨＧＷ識別子のＨＧＷ装置を介して受信し、表示するメッセージ表示装置とを備えるＴＶ番組関連情報表示システムにて、前記ＩＰＴＶ受信装置で視聴する番組内容と連動した情報をインターネット上のＷｅｂサイトから収集して表示する端末間イベント同期装置であって、前記ＩＰＴＶ配信装置から配信される所定の番組配列情報から、放送地域、放送チャンネル、番組の開始及び終了の日時情報、番組名及び番組内容を表す番組情報テーブルを生成して管理するＩＤ管理部と、前記番組検出メッセージを取得して、前記ＨＧＷ識別子から特定される前記ＨＧＷ装置の設置地域の情報を地域情報として決定し、該地域情報と前記マルチキャストアドレスをもとに、予めチャンネル番号と関連付けて保持するチャンネル情報テーブルから、前記ＩＰＴＶ受信装置が視聴しているチャンネル番号を特定するイベント発見部と、前記ＨＧＷ識別子、前記チャンネル番号、及び現在日時の情報を基に、前記ＩＰＴＶ受信装置が視聴しているチャンネル番号の番組に関連する情報をインターネット上のＷｅｂサイトから収集し、番組内容に応じた表示メッセージを生成するシナリオ制御手段と、生成した表示メッセージを前記ＨＧＷ識別子のＨＧＷ装置に接続されるメッセージ装置に送信する端末管理部と、を備えることを特徴とする。
【００１４】
さらに、本発明の端末間イベント同期方法は、所定の放送局から取得した番組内容をＩＰＴＶの規格に従ってＩＰ通信網を介してマルチキャストで配信するＩＰＴＶ配信装置と、前記ＩＰＴＶ配信装置が配信するマルチキャストの番組内容を、家庭環境内に設置されるＨＧＷ装置を介して受信し、表示するＩＰＴＶ受信装置と、前記ＩＰＴＶ受信装置におけるマルチキャスト通信の開始・変更・終了を監視して検出し、当該検出した情報を、当該マルチキャスト通信の状態変化を示す情報として生成し、前記ＨＧＷ装置を一意に識別するＨＧＷ識別子と、前記ＩＰＴＶ受信装置のＩＰアドレスと、当該開始・変更・終了を監視して得られるマルチキャストアドレスとを組み合わせ、番組検出メッセージとして生成するチャンネル情報取得手段と、前記家庭環境内に設置される前記ＨＧＷ識別子のＨＧＷ装置を介して受信し、表示するメッセージ表示装置とを備えるＴＶ番組関連情報表示システムにて、前記ＩＰＴＶ受信装置で視聴する番組内容と連動した情報をインターネット上のＷｅｂサイトから収集して表示する端末間イベント同期装置の端末間イベント同期方法であって、端末間イベント同期装置の処理手順は、前記ＩＰＴＶ配信装置から配信される所定の番組配列情報から、放送地域、放送チャンネル、番組の開始及び終了の日時情報、番組名及び番組内容を表す番組情報テーブルを生成して管理するステップと、前記番組検出メッセージを取得して、前記ＨＧＷ識別子から特定される前記ＨＧＷ装置の設置地域の情報を地域情報として決定し、該地域情報と前記マルチキャストアドレスをもとに、予めチャンネル番号と関連付けて保持するチャンネル情報テーブルから、前記ＩＰＴＶ受信装置が視聴しているチャンネル番号を特定するステップと、前記ＨＧＷ識別子、前記チャンネル番号、及び現在日時の情報を基に、前記ＩＰＴＶ受信装置が視聴しているチャンネル番号の番組に関連する情報をインターネット上のＷｅｂサイトから収集し、番組内容に応じた表示メッセージを生成するステップと、生成した表示メッセージを前記ＨＧＷ識別子のＨＧＷ装置に接続されるメッセージ装置に送信するステップと、を含むことを特徴とする。
【００１５】
さらに、本発明のプログラムは、所定の放送局から取得した番組内容をＩＰＴＶの規格に従ってＩＰ通信網を介してマルチキャストで配信するＩＰＴＶ配信装置と、前記ＩＰＴＶ配信装置が配信するマルチキャストの番組内容を、家庭環境内に設置されるＨＧＷ装置を介して受信し、表示するＩＰＴＶ受信装置と、前記ＩＰＴＶ受信装置におけるマルチキャスト通信の開始・変更・終了を監視して検出し、当該検出した情報を、当該マルチキャスト通信の状態変化を示す情報として生成し、前記ＨＧＷ装置を一意に識別するＨＧＷ識別子と、前記ＩＰＴＶ受信装置のＩＰアドレスと、当該開始・変更・終了を監視して得られるマルチキャストアドレスとを組み合わせ、番組検出メッセージとして生成するチャンネル情報取得手段と、前記家庭環境内に設置される前記ＨＧＷ識別子のＨＧＷ装置を介して受信し、表示するメッセージ表示装置とを備えるＴＶ番組関連情報表示システムにて、前記ＩＰＴＶ受信装置で視聴する番組内容と連動した情報をインターネット上のＷｅｂサイトから収集して表示する端末間イベント同期装置として構成するコンピュータに、前記ＩＰＴＶ配信装置から配信される所定の番組配列情報から、放送地域、放送チャンネル、番組の開始及び終了の日時情報、番組名及び番組内容を表す番組情報テーブルを生成して管理するステップと、前記番組検出メッセージを取得して、前記ＨＧＷ識別子から特定される前記ＨＧＷ装置の設置地域の情報を地域情報として決定し、該地域情報と前記マルチキャストアドレスをもとに、予めチャンネル番号と関連付けて保持するチャンネル情報テーブルから、前記ＩＰＴＶ受信装置が視聴しているチャンネル番号を特定するステップと、前記ＨＧＷ識別子、前記チャンネル番号、及び現在日時の情報を基に、前記ＩＰＴＶ受信装置が視聴しているチャンネル番号の番組に関連する情報をインターネット上のＷｅｂサイトから収集し、番組内容に応じた表示メッセージを生成するステップと、生成した表示メッセージを前記ＨＧＷ識別子のＨＧＷ装置に接続されるメッセージ装置に送信するステップと、を実行させるためのプログラムである。
【発明の効果】
【００１６】
本発明では、テレビ受信機（実施例では、後述するＩＰＴＶ受信装置）で視聴中の番組内容と連動した情報をインターネット上のＷｅｂサイトから収集して表示する手段を提供し、テレビ受信機とは異なる表示装置（実施例では、後述するメッセージ表示装置）を通じて視聴者に提示することを可能としたことにより、従来、テレビ番組と同時に表示されるデータ放送では、テレビ局が作成した情報のみしか見ることができなかったが、本発明により、視聴者は、放送局以外のサービス事業者が提供するテレビ番組に関する情報やユーザ自身に関連のある情報を閲覧することが可能となる。例えば、従来、テレビを見ながらインターネットで関連する情報閲覧には、ＰＣや携帯端末を操作しながら閲覧する必要があったが、本発明により、ＰＣや携帯端末の操作に習熟していないユーザや他の仕事をしながらテレビを見ているユーザであっても、別の表示装置（メッセージ表示装置やＰＣ等）からインターネット上のＷｅｂサイトから収集した情報を、手間をかけずに閲覧することが可能となる。
【００１７】
また、テレビの視聴状態の取得は、テレビ受信機に機能を追加すれば容易に実現可能ではあるが、テレビ受信機の利用期間は１０年近くにも及ぶことから、新たな機能追加によるサービスは普及が進まない可能性が高い。しかし、本発明では、テレビ受信機や配信設備に手を加えずに、ＨＧＷ装置の機能を活用しながらサービスを実現するため、より多くのユーザが容易にサービス導入を進めることが可能となる。
【図面の簡単な説明】
【００１８】
【図１】本発明による一実施例のＴＶ番組関連情報表示システムの概略図である。
【図２】本発明による一実施例のＴＶ番組関連情報表示システムのブロック図である。
【図３】本発明による一実施例のＴＶ番組関連情報表示システムのブロック図である。
【図４】本発明による一実施例のＴＶ番組関連情報表示システムにおける端末間イベント同期装置による処理フローを示す図である。
【図５】本発明による一実施例のＴＶ番組関連情報表示システムにおける端末間イベント同期装置による処理フローを示す図である。
【図６】本発明による一実施例のＴＶ番組関連情報表示システムにおける端末間イベント同期装置による処理フローを示す図である。
【図７】本発明による一実施例のＴＶ番組関連情報表示システムにおける端末間イベント同期装置による処理フローを示す図である。
【図８】本発明による一実施例のＴＶ番組関連情報表示システムにおける端末間イベント同期装置による処理フローを示す図である。
【発明を実施するための形態】
【００１９】
以下、本発明による一実施例のＴＶ番組関連情報表示システムについて説明する。尚、本発明に係る端末間イベント同期装置、端末間イベント同期方法、及びプログラムは、本実施例のＴＶ番組関連情報表示システムの説明から明らかになる。
【００２０】
図１は、本発明による一実施例のＴＶ番組関連情報表示システムの概略図である。本実施例のＴＶ番組関連情報表示システムは、ＩＰＴＶ受信装置５で視聴する番組内容と連動した情報をインターネット上のＷｅｂサイトから収集してメッセージ表示装置３に表示するシステムとして構成され、ＩＰ通信網６に接続されるＩＰＴＶ配信装置１及び端末間イベント同期装置２と、ＩＰ通信網６に接続されるＨＧＷ装置４と、家庭環境内（又は受信環境内）でＨＧＷ装置４に接続されるメッセージ表示装置３及びＩＰＴＶ受信装置５とを備える。端末間イベント同期装置２は、インターネット７を介してＳＮＳサービスサーバ８及び／又はリアルタイムＷｅｂサービスサーバ９と通信可能に構成される。本実施例のＴＶ番組関連情報表示システムでは、ＨＧＷ装置４又はＩＰＴＶ受信装置５或いはこれらの周辺装置（図示せず）がＩＰＴＶの信号を監視するとともに、端末間イベント同期装置２がＩＰＴＶの番組情報を取得することで、既存のＩＰＴＶの仕組み自体には手を加えずに、各家庭環境でのＩＰＴＶの視聴状態を取得し、また、メッセージ表示装置３のネットワークアドレスとＨＧＷ装置４のネットワークアドレスの対応関係を予め保持することで、視聴状態を取得したＩＰＴＶ受信装置５と同じ家庭環境にあるメッセージ表示装置３に対し、テレビ放送に応じたインターネット上の情報を提示することを可能とする。
【００２１】
ＩＰＴＶ配信装置１は、所定のＴＶ放送局から取得した番組内容（ＴＶ番組）をＩＰＴＶの規格に従ってＩＰ通信網６を介してマルチキャストで配信する。
【００２２】
端末間イベント同期装置２は、ＨＧＷ装置４と連携してＩＰＴＶ受信装置５の状態を取得し、ＩＰＴＶ配信装置１からＩＰ通信網６を通じて取得したＴＶ番組情報と併せて、ＩＰＴＶ受信装置５で視聴している番組に関する情報を確定し、その情報をもとに予め定められたサービスロジックに従って、インターネット上から必要な情報を入手及び加工して、この結果を、ＩＰ通信網６を介してメッセージ表示装置３に送信する。より具体的には、端末間イベント同期装置２は、ＩＰＴＶ配信装置１から配信される所定の番組配列情報から、放送地域、放送チャンネル、番組の開始及び終了の日時情報、番組名及び番組内容を表す「番組情報テーブル」を生成して管理するとともに、後述するチャンネル情報取得部４１によって生成される番組検出メッセージを取得して、ＨＧＷ識別子から特定されるＨＧＷ装置４の設置地域の情報を地域情報として決定し、該地域情報とマルチキャストアドレスをもとに、予めチャンネル番号と関連付けて保持する「チャンネル情報テーブル」から、ＩＰＴＶ受信装置５が視聴しているチャンネル番号を特定し、ＨＧＷ識別子、チャンネル番号、及び現在日時の情報を基に、ＩＰＴＶ受信装置５が視聴しているチャンネル番号の番組に関連する情報をインターネット上のＷｅｂサイトから収集し、番組内容に応じた表示メッセージを生成する。
【００２３】
メッセージ表示装置３は、各家庭環境内のＨＧＷ装置４に接続され、端末間イベント同期装置２から受信した表示メッセージの内容を表示する。
【００２４】
ＨＧＷ装置４は、各家庭環境内に設置され、ＩＰ通信網６と家庭環境内のＩＰＴＶ受信装置５及びメッセージ表示装置３を接続する。
【００２５】
ＩＰＴＶ受信装置５は、ＨＧＷ装置４に接続され、ＩＰＴＶ配信装置１が配信するマルチキャストの番組内容（ＴＶ番組）を受信して表示する。
【００２６】
ＩＰ通信網６は、ＩＰＴＶ配信装置５、ＨＧＷ装置４及び端末間イベント同期装置２の間のＩＰ通信を提供する。
【００２７】
ＳＮＳサービスサーバ８は、所定の公開範囲（例えば、ユーザの友人関係の範囲）を管理し、この公開範囲（例えば、友人関係の範囲）に基づいたメッセージ交換や提示版、オンラインゲームなどのサービスを提供する。
【００２８】
リアルタイムＷＷＷサービスサーバ９は、インターネット上のサービスで、あるユーザが入力したテキストメッセージをリアルタイムで他の多数のユーザに提供するとともに、各メッセージに入力したユーザの位置情報を付与する機能や、特定のユーザの入力したメッセージのみを取得する機能も提供する。尚、リアルタイムＷＷＷサービスサーバ９は、いわゆる検索サービスとして、インターネット上でキーワードを入力すると関連するホームページのリストを提示する機能を有することもできる。
【００２９】
図２は、本発明による一実施例のＴＶ番組関連情報表示システムのブロック図である。端末間イベント同期装置２は、シナリオ制御部２１と、ＩＤ管理部２２と、放送情報取得部２３と、イベント発見部２４と、端末管理部２５と、Ｗｅｂ情報収集部２６とを備える。また、ＨＧＷ装置４は、チャンネル情報取得部４１を備え、チャンネル情報取得部４１は、ＩＰＴＶ受信装置５におけるマルチキャスト通信の開始・変更・終了を監視して検出し、当該検出した情報を、当該マルチキャスト通信の状態変化を示す情報として生成し、ＨＧＷ装置４を一意に識別するＨＧＷ識別子と、ＩＰＴＶ受信装置５のＩＰアドレスと、当該開始・変更・終了を監視して得られるマルチキャストアドレスとを組み合わせ、番組検出メッセージとして生成してイベント発見部２４に送出する。
【００３０】
放送情報取得部２３は、ＩＰＴＶ配信装置１からのＩＰＴＶ放送のデータを受信し、番組配列情報を抽出して、表１に例示する「番組情報テーブル」を作成し、ＩＤ管理部２２に記憶保持する。
【００３１】
【表１】
2011259383.tif 000003
【００３２】
イベント発見部２４は、ＨＧＷ装置４に具備されるチャンネル情報取得部４１から、ＩＰＴＶ受信装置５のマルチキャスト通信の状態変化（ＩＰＴＶ受信装置５からのマルチキャスト視聴開始要求や変更要求、又はマルチキャスト視聴停止要求等の監視）の情報を受信し、この受信内容に基づいてシナリオ制御部２１を起動させる。尚、イベント発見部２４は、チャンネル情報取得部４１から、新たなマルチキャストの視聴を検出したか否かを問い合わせ、新たなマルチキャストの視聴の検出を表す当該番組検出メッセージを取得して「チャンネル情報テーブル」におけるＨＧＷ識別子及びチャンネル番号を更新する機能を有する。
【００３３】
シナリオ制御部２１は、イベント発見部２４からの情報に基づいて、予め定められたシナリオ（具体例は、詳細に後述する）に基づいてインターネット上のＷｅｂサイトから情報収集を行い、メッセージ表示装置３に表示可能な形式に変換した上で表示メッセージを生成し、この収集情報の表示メッセージの送信を行うよう端末管理部２５に指示する。尚、シナリオ制御部２１は、イベント発見部２４によって更新されたＨＧＷ識別子及びチャンネル番号をもとに、チャンネル番号の番組に関連する情報をインターネット上のＷｅｂサイトから収集する機能を有する。また、シナリオ制御部２１は、所定の経過時間で前記番組検出メッセージを取得して、表示メッセージを生成する機能を有する。
【００３４】
予め定められたシナリオについて、具体例は詳細に後述するが、例えば、収集するインターネット上のＷｅｂサイトが予め定めたリアルタイムで書き込みを行う掲示板サービスである場合、シナリオ制御部２１は、掲示板サービスのＷｅｂサイトから番組内容に応じた表示メッセージを生成する機能を有する。また、収集するインターネット上のＷｅｂサイトが予め定めたＳＮＳサービスである場合には、ＳＮＳサービスのユーザＩＤ、及び、該ＳＮＳサービスの公開範囲内のＨＧＷ識別子と、該ユーザＩＤに対応するＨＧＷ識別子とを関連付けたテーブル（後述する表５及び表６）を記憶保持しておき、シナリオ制御部２１は、番組検出メッセージに含まれるＨＧＷ識別子をもとに、ユーザＩＤを抽出し、該ユーザＩＤのＳＮＳサービスの公開範囲内のＨＧＷ識別子を特定し、番組検出メッセージに含まれるＨＧＷ識別子及びその公開範囲内のＨＧＷ識別子の各ＨＧＷ装置４を介して該ＨＧＷ装置４にそれぞれ接続されるメッセージ表示装置３に対する、番組内容に応じた表示メッセージを生成する機能を有する。
【００３５】
Ｗｅｂ情報収集部２６は、シナリオ制御部２１からの要求に基づいて、各Ｗｅｂサイトに合わせた適切な手段（Ｗｅｂサイトに応じたＷｅｂプロトコル制御）で情報を収集して、シナリオ制御部２１に送出する。
【００３６】
端末管理部２５は、シナリオ制御部２１からのメッセージ送信要求を受付け、所定の送信手段（所定の通信プロトコル）に応じてＨＧＷ識別子を基に送信先アドレスを取得し、ＨＧＷ装置４を介してメッセージ表示装置３に送信する。
【００３７】
チャンネル情報取得部４１は、ＨＧＷ装置４を流れるＩＰパケットを監視し、ＩＰＴＶ受信装置５に関わるマルチキャスト通信の開始・変更・終了を検出すると、この検出した情報を「状態変化を示す情報」としてイベント発見部２４に通知する。
【００３８】
尚、チャンネル情報取得部４１は、図２に示す例ではＨＧＷ装置４内に配置されているが、図３に示すようにＩＰＴＶ受信装置５に配置しても同様の効果を得ることができる。従って、図３についての更なる詳細な説明は省略する。
【００３９】
図４は、放送情報取得部２３によって番組情報テーブルを更新する際の処理フローを示す図である。番組情報テーブルは、ＩＤ管理部２２に配置され、表１に示すような番組ごとのレコードとなっており、１レコードは、放送が送信されている地域と、放送のチャンネル番号、番組の開始日時、終了日時、番組名、及び番組内容から構成されている。
【００４０】
まず、放送情報取得部２３は、ＩＰＴＶ配信装置５からＴＶ放送に係る番組情報を受信し（ステップＳ１０１）、当該番組情報中から、ＡＲＩＢの規定に従う番組配列情報を抽出し（ステップＳ１０２）、抽出した番組配列情報をもとに番組情報テーブルを生成又は更新を行う（ステップＳ１０３）。放送情報取得部２３は、この手順を常時行うことにより、番組内容の変更があっても番組情報テーブルを最新の状態に保つことができる。尚、 日本国内で地域ごとに異なるＴＶチャンネル編成に対応するため、放送情報取得部２３は、端末間イベント同期装置２から分離可能でチャンネル編成の異なる地域ごとに設置し、ＩＰ通信網６経由で、取得した番組情報をＩＤ管理部２２に送信することで、全国の番組情報を入手することができる。
【００４１】
図５は、端末間イベント同期装置２によって端末間でイベントの同期を取るための主たる処理フローとなる。各家庭環境のＨＧＷ装置４内に配置されたチャンネル情報取得部４１は、 ＩＰ通信網６とＩＰＴＶ受信装置５との間のマルチキャスト通信状態の変化を把握すると（ステップＳ１１１）、ＩＰＴＶ受信装置５からのマルチキャスト視聴要求か、マルチキャスト視聴終了要求か、もしくはマルチキャスト通信が終了したかを判断する（ステップＳ１１２）。チャンネル情報取得部４１は、マルチキャスト視聴要求の場合、マルチキャスト視聴要求が発生したという情報を、予め設定されているＨＧＷ装置４を一意に識別するＨＧＷ識別子と、ＩＰＴＶ受信装置５のＩＰアドレス、及び視聴要求に含まれているマルチキャストアドレスとを組み合わせ、番組検出メッセージとして生成し、ＩＰ通信網６を通じてイベント発見部２４に送信する（ステップＳ１１３）。
【００４２】
この情報を受信したイベント発見部２４は、ＩＤ管理部２２に予め格納される「ＨＧＷ管理テーブル」（表３）を用いて、ＨＧＷ識別子からＨＧＷ装置４の設置地域の情報（地域情報）を取得し、この地域情報とマルチキャストアドレスをもとに、ＩＤ管理部２２に予め格納される「チャンネル情報テーブル」（表２）から、ＩＰＴＶ受信装置５が視聴しているチャンネル番号と共通チャンネル番号を取得する（ステップＳ１１４）。このチャンネル番号は、各地域で実際に使われているチャンネル番号で、共通チャンネル番号は、地域が異なっていても同じ系列局のチャンネルは同じ番号となるように端末間イベント同期装置２が予め付与した番号である。
【００４３】
【表２】
2011259383.tif 000004
【００４４】
【表３】
2011259383.tif 000005
【００４５】
次に、イベント発見部２４は、マルチキャスト視聴要求の発生（視聴開始）を、ＨＧＷ識別子とチャンネル番号とともにシナリオ制御部２１に通知する（ステップＳ１１５）。また、これと同時に、イベント発見部２４は、ＩＤ管理部２２に予め格納される「視聴状態管理テーブル」（表４）の当該ＨＧＷ識別子のレコードの視聴状態欄に共通チャンネル番号を書き込む（ステップＳ１１６）。
【００４６】
【表４】
2011259383.tif 000006
【００４７】
一方、チャンネル情報取得部４１は、マルチキャスト通信の終了を把握した場合、マルチキャスト通信が終了したというメッセージをＨＧＷ識別子とともに、イベント発見部２４に通知する（ステップＳ１１７）。このメッセージを受信したイベント発見部２４は、シナリオ制御部２１にマルチキャスト通信の終了をＨＧＷ識別子とともにシナリオ制御部２１に送る（ステップＳ１１８）。また、これと同時に、イベント発見部２４は、ＩＤ管理部２２の「視聴状態管理テーブル」（表４）の当該ＨＧＷ識別子のレコードの視聴状態欄を０に設定する（ステップＳ１１９）。
【００４８】
図６は、端末間イベント同期装置２による処理フローとして、シナリオ制御部２１がイベント発見部２４からマルチキャスト視聴要求を受信した際の処理フローである。シナリオ制御部２１がイベント発見部２４からマルチキャスト視聴要求、ＨＧＷ識別子、チャンネル番号を受信すると（ステップＳ１２１）、シナリオ制御部２１は、ＨＧＷ識別子とチャンネル番号、現在日時を基に、Ｗｅｂ情報収集部２６を通じて、番組に関連する情報をインターネット上のＷｅｂサイトから収集する（ステップＳ１２２）。尚、この収集方法については、２つの例を図７及び図８を参照して後述する。尚、端末間イベント同期装置２は、現在日時を常時検出し、監視する機能を有している。
【００４９】
次に、シナリオ制御部２１は、送信対象となっているメッセージ表示装置３の能力（画面サイズや解像度、表示可能なメディア等）を、端末管理部２５から取得し、番組内容に応じて収集した情報からメッセージ表示装置３に送る表示メッセージを作成する（ステップＳ１２３）。次に、シナリオ制御部２１は、ＨＧＷ識別子と作成した表示メッセージを、メッセージ表示装置３に送信するように端末管理部２５に指示する（ステップＳ１２４）。端末管理部２５はＨＧＷ識別子をもとにメッセージ表示装置３のアドレスを取得し、ＩＰ通信網６を通じてメッセージ表示装置３に表示メッセージを送信する（ステップＳ１２５）。
【００５０】
次に、シナリオ制御部２１は、イベント発見部２４から当該ＨＧＷ装置４から新たなマルチキャスト視聴要求（即ち、チャンネル番号変更）を受信していないかを確認する（ステップＳ１２５）。もし受信していた場合、シナリオ制御部２１は、自身が現在保持しているＨＧＷ識別子とチャンネル番号の組み合わせを新たなチャンネル番号に更新し（ステップＳ１２９）、ステップ１２２に処理を戻す。また、新たなマルチキャスト視聴要求を受け取っていない場合、シナリオ制御部２１は、イベント発見部２４から、当該ＨＧＷ装置４のマルチキャスト終了要求を受信していないかを確認する（ステップＳ１２７）。マルチキャスト終了要求を受け取っていた場合は、本フローを終了する。また、終了要求を受信していない場合は、次に、シナリオ制御部２１は、前回表示メッセージを送信してからの経過時間を測定して表示メッセージの更新時間に到達したか否かを判別し（ステップＳ１２５）、予め定められた更新時間を超えていた場合は、ステップＳ１２２に処理を戻し、まだ超えていなかった場合は、ステップＳ１２６に処理を戻す。
【００５１】
図７は、シナリオ制御部２１における番組関連情報を収集する具体例の１つを示したものである。図６のステップＳ１２１の後、シナリオ制御部２１は、ＨＧＷ識別子とチャンネル番号、及び現在日時の情報を基に、ＩＤ管理部２２に格納した「番組情報テーブル」（表１）から、当該ＩＰＴＶ受信装置５で視聴中の番組情報を取得する（ステップＳ１３１）。次に、シナリオ制御部２１は、Ｗｅｂ情報収集部２６を介して、テレビ番組に関する短いメッセージをリアルタイムで書き込んで他のユーザと共有する掲示板サービス（例えば、ｔｗｉｔｔｅｒやｍｉｘｉの提示板等）から、当該チャンネル番号に関する情報を抽出する（ステップＳ１３２）。
【００５２】
次に、シナリオ制御部２１は、ステップＳ１３１で取得した番組情報（番組タイトルや出演者情報等）と、提示板から取得した情報をもとにメッセージ表示装置３で表示可能な形式で表示メッセージを作成する（ステップＳ１３３）。以上のステップの後、図６のステップＳ１２３に処理が移る。
【００５３】
また、図８は、図７とは別の番組関連情報を収集する具体例を示したものである。図６のステップＳ１２１の後、シナリオ制御部２１は、ＨＧＷ識別子とチャンネル番号、及び現在日時を基に、ＩＤ管理部２２に格納した「番組情報テーブル」（表１）から、当該ＩＰＴＶ受信装置５で視聴中の番組情報を取得する（ステップＳ１４１）。次に、シナリオ制御部２１は、ＨＧＷ識別子とチャンネル番号をもとに、「視聴状態管理テーブル」（表４）から当該ＨＧＷ装置４と同じチャンネルを視聴しているＨＧＷ装置４のＨＧＷ識別子を取得すると（ステップＳ１４２）、ＩＤ管理部２２に予め格納される「ＳＮＳ友人関係テーブル」（表６）から、当該ＨＧＷ識別子のユーザと友人関係にあるユーザのＨＧＷ識別子のうち、同じチャンネルを視聴しているもののリストを抽出し（ステップＳ１４３）、ＩＤ管理部２２に予め格納される「ＳＮＳユーザ情報テーブル」（表５）を用いて、これらのＨＧＷ識別子のユーザのＳＮＳサービス上でのユーザＩＤを抽出する。
【００５４】
【表５】
2011259383.tif 000007
【００５５】
【表６】
2011259383.tif 000008
【００５６】
そして、シナリオ制御部２１は、ＴＶ番組情報の番組タイトルや出演者情報と、取得した友人リストをもとにメッセージ表示装置で表示可能な形式でメッセージを作成する（ステップＳ１４４）。以上のステップの後、図６のステップＳ１２３に処理が移る。
【００５７】
なお、「ＳＮＳユーザ情報テーブル」（表５）は、端末間イベント同期装置２を使ったサービスにユーザが加入する際に、ユーザが自身の情報を登録する。また、「ＳＮＳ友人関係テーブル」（表６）は、「ＳＮＳユーザ情報テーブル」（表５）の情報を登録したユーザに関して、ＳＮＳサービスが公開している友人関係情報を取得する機能を通じて友人のリストを取得し、それらのリスト中のメンバのうち、「ＳＮＳユーザ情報テーブル」（表５）に登録してあるものに関して、ユーザＩＤからＨＧＷ識別子を抽出し、当該ユーザのＨＧＷ識別子との対応関係を１友人１レコードとして登録することで作成を行う。
【００５８】
以下、各テーブルの作成について説明する。
【００５９】
「番組情報テーブル」（表１）は、テレビ放送の番組配列情報から取得した放送内容に関するテーブルで、各放送地域の番組ごとに１つのレコードで表現される。地域は、番組が放送される地域を、チャンネルはその地域において番組が放送されるチャンネル番号を、開始日時と終了日時はその番組の放送開始と終了日時を、番組名はその番組の名称を、番組内容はその番組の概要や出演者情報等を格納する。
【００６０】
「チャンネル情報テーブル」（表２）は、各地域におけるチャンネル番号とＩＰＴＶのマルチキャストアドレスの対応関係を表すもので、各地域のチャンネルごとに１つのレコードで表現される。地域は、チャンネルが存在する地域を、マルチキャストアドレスは、その地域におけるＩＰＴＶのマルチキャストアドレスを、チャンネル番号はその地域における実際のチャンネル番号を、共通チャンネル番号は全国の系列局のチャンネルは同一番号になるようにした端末間イベント同期装置２が独自に付与した番号を格納する。
【００６１】
「ＨＧＷ管理テーブル」（表３）は、家庭環境内に設置されたＨＧＷ装置４に関するテーブルで、ＨＧＷ装置４ごとに１つのレコードで表現される。ＨＧＷ識別子はＨＧＷ装置４を一意に識別する文字列を、設置地域は、そのＨＧＷ装置４が設置されている地域を放送地域と同一の区分で表現したものを、メッセージ表示装置の有無は本サービスで利用するメッセージ表示装置３がＨＧＷ装置４の配下に接続されているか否かの情報を格納する。
【００６２】
「視聴状態管理テーブル」（表４）は、各ＨＧＷ装置４の配下にあるＩＰＴＶ受信装置５の視聴状態をリアルタイムで管理するテーブルで、ＩＰＴＶ受信装置５ごとに１つのレコードで表現される。ＨＧＷ識別子は、そのＩＰＴＶ受信装置５が接続しているＨＧＷ装置４の識別子を、視聴状態はそのＩＰＴＶ受信装置５で現在視聴されているチャンネル番号を格納する。
【００６３】
「ＳＮＳユーザ情報テーブル」（表５）は、ＨＧＷ装置４を利用しているユーザのＳＮＳでのユーザ情報を管理するもので、ＨＧＷ装置４ごとに１つのレコードで表現される。ＨＧＷ識別子は、ＨＧＷ装置４の識別子を、ＳＮＳサービス名は、そのＨＧＷ装置４を利用するユーザが利用するＳＮＳサービスの名称を、ユーザＩＤはそのユーザのＳＮＳにおけるＩＤを格納する。
【００６４】
「ＳＮＳ友人関係テーブル」（表６）は、ＳＮＳでの友人関係から生成されるテーブルで、１つのレコードが一対の友人関係を表す。ＨＧＷ識別子は、あるユーザの利用するＨＧＷ装置４の識別子を、友人ＨＧＷ識別子はＳＮＳから取得したそのユーザの友人が利用するＨＧＷ装置４の識別子を格納する。
【００６５】
以上のように構成したＴＶ番組関連情報表示システムであれば、ＩＰＴＶ受信装置５で視聴中の番組内容と連動した情報をインターネット上のＷｅｂサイトから収集して表示することができ、ＩＰＴＶ受信装置５とは異なるメッセージ表示装置３を通じて視聴者に提示することが可能となるため、視聴者は、放送局以外のサービス事業者が提供するテレビ番組に関する情報やユーザ自身に関連のある情報を閲覧することが可能となる。また、本発明では、ＩＰＴＶ受信装置５や配信設備について既存のもとを利用して、家庭環境に配置されるＨＧＷ装置４の機能を活用しながらサービスを実現するため、より多くのユーザが容易にサービス導入を進めることができる。
【００６６】
また、端末間イベント同期装置２をコンピュータとして構成することができ、前述した端末間イベント同期装置２の機能を実現させるためのプログラムは、コンピュータの内部又は外部に備えられる記憶部（図示せず）に記憶される。このような記憶部は、外付けハードディスクなどの外部記憶装置、或いはＲＯＭ又はＲＡＭなどの内部記憶装置で実現することができる。プログラムを実行する制御部は、中央演算処理装置（ＣＰＵ）などで実現することができる。即ち、ＣＰＵが、各構成要素の機能を実現するための処理内容が記述されたプログラムを、適宜、記憶部から読み込んで、コンピュータ上で各装置を実現することができる。ここで、いずれかの手段の機能をハードウェアの全部又は一部で実現しても良い。
【００６７】
上述したプログラムは、コンピュータで読み取り可能な記録媒体に記録しておくこともできる。コンピュータで読み取り可能な記録媒体としては、例えば、磁気記録装置、光ディスク、光磁気記録装置、半導体メモリ等どのようなものでもよい。
【００６８】
前述した実施例では、特定の形態について説明したが、本発明は、前述した実施例に限定されるものではなく、その主旨を逸脱しない範囲において種々変更可能である。例えば、上述の実施例では、ＳＮＳでの友人関係を情報収集の公開範囲として説明しているが、家族や企業内グループ等の公開範囲としてもよく、任意の態様のＷｅｂサービスを利用することが可能である。従って、前述した実施例に限定されるものではなく、その主旨を逸脱しない範囲において多くの変形例を実現することができる。  
【産業上の利用可能性】
【００６９】
本発明によれば、既存のＩＰＴＶ受信装置で視聴中の番組内容と連動した情報をインターネット上のＷｅｂサイトから収集してメッセージ表示装置に表示することができるため、既存設備で視聴中の番組内容と連動した情報を表示する用途に有用である。
【符号の説明】
【００７０】
１  ＩＰＴＶ配信装置
２  端末間イベント同期装置
４  ＨＧＷ装置
５  ＩＰＴＶ受信装置
６  ＩＰ通信網
２１  シナリオ制御部
２２  ＩＤ管理部
２３  放送情報取得部
２４  イベント発見部
２５  端末管理部
２６  Ｗｅｂ情報収集部
４１  チャンネル情報取得部
【図１】
2011259383.tif 000009
【図２】
2011259383.tif 000010
【図３】
2011259383.tif 000011
【図４】
2011259383.tif 000012
【図５】
2011259383.tif 000013
【図６】
2011259383.tif 000014
【図７】
2011259383.tif 000015
【図８】
2011259383.tif 000016